(57)【要約】      （修正有）【課題】２灯の露光ランプを備えた画像読取装置において、温度検知器を用いることなく露光ランプの異常を検出する。【解決手段】原稿面に光を照射する複数の露光ランプと基準白板を備えた画像読取装置において、一個の露光ランプのみを点灯して基準白板の読取りレベルを検出し、その後順次、他の露光ランプも点灯して基準白板の読取りレベルを検出し、読取りレベルと基準レベルとを対比判断して、露光ランプの異常を検出する。【選択図】図４
2006262044.tif 000002
【特許請求の範囲】
【請求項１】
原稿面に光を照射する複数の露光ランプと基準白板とを備えた画像読取装置において、
前記複数の露光ランプのうち１個の露光ランプのみを点灯して前記基準白板の読取りレベルを検出し、その後順次、他の露光ランプも同様に点灯して前記基準白板の読取りレベルを検出し、前記検出された読取りレベルと所定の基準レベルとを対比判断して、露光ランプの異常を検出する露光ランプ異常検出手段を有することを特徴とする画像読取装置。
【請求項２】
請求項１に記載の画像読取装置において、
前記露光ランプ異常検出手段は、前記検出された読取りレベルと所定の基準レベルとを対比して、それぞれの露光ランプの前記検出された読取りレベルが小であれば異常と判断することを特徴とする画像読取装置。
【請求項３】
請求項１に記載の画像読取装置において、
前記露光ランプ異常検出手段は、露光ランプ同士の前記検出された読取りレベルの差の絶対値と所定の基準レベルとを対比して、前記絶対値が小であれば異常と判断することを特徴とする画像読取装置。
【請求項４】
請求項１乃至３のうち何れか１に記載の画像読取装置において、
前記露光ランプ異常検出手段は、ユーザインターフェース部に異常を表示させることを特徴とする画像読取装置。
【請求項５】
請求項４に記載の画像読取装置において、
前記露光ランプ異常検出手段は、サービスセンターへ通信回線を介して異常発生の通知情報を送信することを特徴とする画像読取装置。
【発明の詳細な説明】
【技術分野】
【０００１】
本発明は、イメージスキャナ、複写機、ファクシミリ等に用いられる、複数の露光ランプの異常を検出する画像読取装置に関する。
【背景技術】
【０００２】
一般に、ＣＣＤ等のイメージセンサを用いるイメージスキャナ、複写機、ファクシミリ等の画像読取装置において、読取りデータのばらつき等のシェーディング特性を補正するシェーディング補正技術が知られている（特許文献１参照）。
【０００３】
このシェーディング補正技術を有し、２灯の露光ランプを備える画像読取装置は、原稿の読取に先立って、ＡＤＣのダイナミックレンジを有効に利用する為、基準白板３の読取りレベルが所定のレベルとなるような調整が予め行われる。該画像読取装置の電源投入時に第１キャリッジを基準白板３の読取位置に移動して露光ランプを点灯させて光電変換手段（ＣＣＤ）の出力信号の増幅率を増減することで基準白板３の読取りレベルが所定のレベルとなるように調整が行われる。
【０００４】
しかしながら、露光ランプのうちどちらか一方が不点灯の状態でも上記増幅率の可変範囲が十分であれば、増幅率を調整することで基準白板３の読取りレベルが所定の値に調整できてしまうため、個別の露光ランプ不良の検出を行うことが出来ないという問題点がある。
【０００５】
また、図６に示すように複写機の二個の蛍光ランプ３、４のうち、何れが寿命に達したかを正確に特定するために、その蛍光ランプ３、４の各々に温度検知器１９、２０を設けて、その蛍光ランプ３、４を１本ずつ個別に点灯させることにより、前記温度検知器１９、２０で測定された測定光量値に基づき蛍光ランプ３、４の寿命を判定する画像読取装置が知られている（特許文献２参照）。
【０００６】
しかしながら、この画像読取装置では二個の温度検知器を設置する必要があり、又、両温度検知器がトラブルを起こす可能性があり、蛍光ランプが寿命に達していないにも拘わらず、温度検知器が寿命であると判定される。
【特許文献１】特開２００４−２５４２８２号公報
【特許文献２】特開２０００−３９６７９号公報（図１及び２参照）
【発明の開示】
【発明が解決しようとする課題】
【０００７】
そこで、本発明の課題は、２灯の露光ランプを備える画像読取装置において、温度検知器を用いることなく露光ランプ異常の有無を検出する露光ランプ異常検出手段を提供することを目的とする。
【課題を解決するための手段】
【０００８】
上記課題を達成するために、請求項１に記載の発明は、原稿面に光を照射する複数の露光ランプと基準白板とを備えた画像読取装置において、前記複数の露光ランプのうち１個の露光ランプのみを点灯して前記基準白板の読取りレベルを検出し、その後順次、他の露光ランプも同様に点灯して前記基準白板の読取りレベルを検出し、前記検出された読取りレベルと所定の基準レベルとを対比判断して、露光ランプの異常を検出する露光ランプ異常検出手段を有することを特徴とする。
請求項２に記載の発明は、前記露光ランプ異常検出手段が、前記検出された読取りレベルと所定の基準レベルとを対比して、それぞれの露光ランプの前記検出された読取りレベルが小であれば異常と判断することを特徴とする。
請求項３に記載の発明は、前記露光ランプ異常検出手段が、露光ランプ同士の前記検出された読取りレベルの差の絶対値と所定の基準レベルとを対比して、前記絶対値が小であれば異常と判断することを特徴とする。
請求項４に記載の発明は、前記露光ランプ異常検出手段が、ユーザインターフェース部に異常を表示させることを特徴とする。
請求項５に記載の発明は、前記露光ランプ異常検出手段が、サービスセンターへ通信回線を介して異常発生の通知情報を送信する機能を有することを特徴とする。
【発明の効果】
【０００９】
温度検知器を設置する必要がなく、複数の露光ランプを同時に点灯させて基準白板の所定の基準レベルと、個別に順次露光ランプを点灯させて検出した読取りレベルとを対比することで、予め露光ランプの異常による画像品質の低下を防止することがで、又、容易に露光ランプの異常を検出することができる。
【発明を実施するための最良の形態】
【００１０】
以下、図面を参照して本発明の一実施形態を詳細に説明する。図１は、２灯の照明用露光ランプを備える画像読取装置の要部概略図である。図２は、画像読取装置における画像データのデータ処理部を示す図である。図３は、管理装置（ホストコンピュータ）と通信回線で接続された画像読取装置及びサービスセンターの全体構成図である。図４は、露光ランプ異常の有無を検出する露光ランプ異常検出手段の処理手順を示すフローチャートである。図５は、露光ランプ異常の有無を検出する露光ランプ異常検出手段の他の処理手順を示すフローチャートである。
【００１１】
図１の２灯の照明用露光ランプを備える画像読取装置の要部概略図を説明する。該画像読取装置は、原稿５を搭載するコンタクトガラス１、シートスルー読取り部２、基準白板３、搬送装置４、コンタクトガラス１上の原稿５、搬送される原稿６、露光ランプ７−１、７−２及び走査用の第１のミラー８からなる第１キャリッジ９、走査用の第２、第３のミラー１０、１１からなる第２キャリッジ１２、走査用の第１、第２、第３のミラー８，１０，１１を介して画像を結像する結像レンズ１３及び光電変換手段（ＣＣＤ）１４とから構成されている。
【００１２】
前記画像読取装置は、コンタクトガラス１上に原稿５が搭載された場合に、露光ランプ７−１及び７−２を点灯し、第１キャリッジ９および第２キャリッジ１２をスキャナモータにより右方向に移動走査して原稿５を読取る読取り方式と、露光ランプ７−１及び７−２を点灯し、第１キャリッジ９および第２キャリッジ１２は停止した状態のまま、原稿搬送装置４によって搬送される原稿６を読取る読取り方式が選択可能である。
【００１３】
どちらの読取り方式においても、原稿面照明用の露光ランプ７−１及び７−２により照明された原稿載置ガラス部１上の原稿５の原稿画像情報を、走査用の第１、第２、第３のミラー８、１０、１１を介して結像レンズ１３により光電変換手段（ＣＣＤ）１４のセンサ面上に結像させ、該原稿５の画像情報を読取り、光電変換手段（ＣＣＤ）１４の出力信号をＡＤ変換機によりデジタルデータに変換する事で、原稿画像データをデジタル的に読取っている。
【００１４】
デジタルデータに変換された原稿画像情報は、例えば出力装置に送られプリント出力として画像情報の出力が行なわれる場合や、あるいは記憶装置に送られ入力画像情報の記憶が行なわれる場合等種々あり、各々の画像読取装置の情報として使用されている。
【００１５】
キャリッジが移動走査して原稿画像を読取る場合、原稿５の画像情報を副走査方向に走査する方法としては、例えば走査用の第１、第２キャリッジ９，１２を図１の中矢印方向（副走査方向）に一定の関係を維持しつつ移動させて行っている。このとき、走査用の各キャリッジの走査速度は、例えば第１キャリッジ９の速度をＶとしたとき、第２キャリッジ１２の走査速度はＶ／２となるように設計されている。
【００１６】
このように原稿を走査して画像データを読取る場合、原稿の読取りに先立って図１に示すシートスルー読取り部２と原稿載置ガラス部１との間にあるシェーディング補正のための基準白板３の読取りデータを走査して、シェーディング補正用データを生成しメモリに記憶しておき、そのシェーディング補正用データで原稿５または６の画像データ読取りながら正規化することで、該装置における光量分布ムラ、ＣＣＤの感度ムラ、露光ランプ出力変動等を補正し、原稿の画像情報を高品質に読取っている。
【００１７】
図２の画像読取装置における画像データのデータ処理部を示す図を説明する。原稿画像はランプにより照射されその反射光は、１次元ライン状のＣＣＤ１０１により読取られる。ＣＣＤ１０１から出力された原稿画像読取りデータはサンプルホールド、信号増幅、ＡＤ変換等の信号処理部１０３を経て、デジタルデータがシェーディング補正回路１０５に入力される。このシェーディング補正回路１０５において、シェーディング補正データ取得のための基準白板３の読み取り時にはＣＣＤの各画素毎に平均化処理が行われて、シェーディング補正データとしてＦＩＦＯメモリに格納される。
【００１８】
上記シェーディング補正データを用いてＣＣＤの画素毎に原稿画像データのシェーディング処理が行われシェーディング補正部よりシェーディング後原稿画像データが出力される。また、基準白板３の読取りレベル検出部１０６により基準白板３の読取りレベルを検出することが可能となっている。基準白板３の読取りレベルの検出は、前記シェーディング補正データを検出するもであっても、シェーディング補正部をスルーした画像データであっても構わない。また、ＡＤ変換後にデジタル増幅部を有する構成であっても構わない。
【００１９】
図３の管理装置（ホストコンピュータ）と通信回線で接続された画像読取装置及びサービスセンターの全体構成図を説明する。画像読取り装置はデータ通信装置を介して通信回線に接続され、管理装置（ホストコンピュータ）と通信が可能であり、該管理装置は通信回線を介してサービスセンター（例えば、端末装置等）と接続されている。したがって、画像読取装置の露光ランプが異常であることを検出した場合、サービスセンター等の外部へその異常情報を通知できる。
【００２０】
図４の露光ランプ異常の有無を検出する露光ランプ異常検出手段の処理手順を示すフローチャートを説明する。原稿読取装置に電源が投入されると、キャリッジのホーミング動作を行いキャリッジの位置制御が可能となる（Ｓ１）。キャリッジ駆動のイニシャライズ処理が終了後、２本のランプを点灯させ（Ｓ２）基準白板３の下部にキャリッジを移動する（Ｓ３）。
【００２１】
この状態で、基準白板３の読取りレベルを白板読取りレベル検出部１０６にて検出し、検出した読取りレベルに応じて信号処理部１０３の増幅率（プログラマブルゲインアンプ）を調整する（Ｓ４）。この調整により、基準白板３の読取りレベルが所定の読取りレベル（Ｄ＿Ｗ１２）であるか判断する（Ｓ５）。２本の露光ランプ７−１、７−２を点灯した状態で所定の読取りレベルに調整できない場合は調整エラーとしてエラー処理を実行する（Ｓ６）。
【００２２】
調整が正常に終了した場合（ＹＥＳ）、露光ランプ７−１のみ点灯させて（Ｓ７）、そのときの基準白板３の読取りレベル（Ｄ＿Ｗ１）を白板読取りレベル検出部１０６にて検出を行う（Ｓ８）。
【００２３】
そして、露光ランプ７−２のみ点灯させて（Ｓ９）、そのときの基準白板３の読取りレベル（Ｄ＿Ｗ２）を白板読取りレベル検出部１０６にて検出を行う（Ｓ１０）。露光ランプ７−２を消灯して（Ｓ１１）キャリッジのホーミング動作を行い（Ｓ１２）、読取りレベルが所定の基準レベル（Ｄ＿Ｌｉｍｉｔ１）よりも低いレベルが検出されたか否かを判断して（Ｓ１３）、露光ランプ７−１及び７−２の読取りレベルが所定の基準レベルより大であれば処理を終了する。小であれば露光ランプの不良として画像読取装置の動作を停止する（Ｓ１４）。
【００２４】
図５の露光ランプ異常の有無を検出する露光ランプ異常検出手段の、他の処理手順を示すフローチャートを説明する。図５の処理手順は図４で説明した処理手順のうちＳ１３だけが異なり他の処理手順は同じであるので、他の処理手順のＳ３３についてだけ説明する。露光ランプ１のみの点灯で検出された読取りレベル（Ｄ＿Ｗ１）と、露光ランプ２のみの点灯で検出された読取りレベル（Ｄ＿Ｗ２）との差の絶対値が、所定の基準レベル（Ｄ＿Ｌｉｍｉｔ２）より大であるかの判断を行い（Ｓ１４）、露光ランプ７−１及び７−２の読取りレベルが所定の基準レベルより大であれば処理を終了する。小であれば露光ランプの不良として画像読取装置の動作を停止する（Ｓ１５）。
【００２５】
上記図４及び５の処理手順、Ｓ１４の処理の後に、画像読取装置に設けたユーザインターフェース部に露光ランプの異常を表示する処理手順を付加してもよい。更に、その処理の後に、サービスセンターへ通信回線を介して異常発生の通知情報を送信する処理を付加してもよい。
【００２６】
上記した１実施形態が奏する効果を以下に説明する。温度検知器を設置する必要がなく、複数の露光ランプを同時に点灯させて基準白板の所定の基準レベルと、個別に順次露光ランプを点灯させて検出した読取りレベルとを対比することで、予め露光ランプの異常による画像品質の低下を防止することがで、又、容易に露光ランプの異常を検出することができる。
【図面の簡単な説明】
【００２７】
【図１】無線ＬＡＮ接続管理システムの概要図である。
【図２】無線ＬＡＮ接続管理システムの判断手段が情報を処理する処理手順を示すフローチャートである。
【図３】３カ所のＩＣタグの受信機を使用したときの位置検出の概念図である。
【図４】異なるアクセス制限をかけるグループに分ける処理手順を示すフローチャートである。
【図５】無線ＬＡＮアクセスポイントから端末装置へ送られる接続設定情報を、各グループで変更するための概念図である。
【図６】温度検知を備えた画像読取装置を示す図である。
【符号の説明】
【００２８】
１・・・無線ＬＡＮ接続管理システム、２・・・端末装置位置検出手段、３・・・ＩＣタグ位置検出手段、４・・・利用者情報記憶手段、５・・・判断手段、６・・・ＩＣタグ、７・・・ＩＣタグ受信機、８・・・端末装置、９・・・端末装置位置検出受信機、１０・・・無線ＬＡＮアクセスポイント。
【図１】
2006262044.tif 000003
【図２】
2006262044.tif 000004
【図３】
2006262044.tif 000005
【図４】
2006262044.tif 000006
【図５】
2006262044.tif 000007
【図６】
2006262044.tif 000008